(57)【特許請求の範囲】
【請求項１】
機器ケーシングの内部に、接栓の固定ナット部および固定ネジ部が外部に突出する機器ユニットを有し、前記接栓の固定ネジ部を利用して、前記機器ユニットの外側に配置されるアッセンブリ部品の取付部が前記機器ユニットの面板部に対し取り付けられている電子機器の構造であって、
前記アッセンブリ部品は、前記機器ケーシングの１つの面を構成する板状部材であり、
前記機器ユニットは、取付ネジのみで前記機器ケーシングに固定されるものであり、
前記取付部は、前記固定ネジ部が貫通する貫通穴を有するものであり、
前記固定ネジ部は、前記取付部の貫通穴を貫通した状態で、取付ナット部材が螺合されることで前記面板部に対し前記アッセンブリ部品が取付固定され、
前記取付ナット部材は、前記固定ナット部との間に前記取付部を挟持する取付ナット部と、自己融着テープを巻き付け可能であるスリーブ部とを有することを特徴とする電子機器における外板取付構造。
【請求項２】
前記取付ナット部材は、前記接栓の固定ネジ部との間にシール剤が充填されていることを特徴とする請求項１記載の電子機器の構造。
【発明の詳細な説明】
【技術分野】
【０００１】
本発明は、電子機器の構造に関する。
【背景技術】
【０００２】
従来、機器ケーシングの内部に、接栓の固定ナット部および固定ネジ部が外部に突出する機器ユニットを有する場合、前記接栓の、前記機器ユニットへの取付けを利用して、前記機器ユニットの外側に配置されるアッセンブリ部品を取り付けることが行われている（例えば、特許文献１，２参照）。つまり、機器ユニットに接栓を取り付ける際に、機器ユニットの外側に位置することになるアッセンブリ部品（例えば意匠プレート板）も、一緒に取付固定するようにしている。
【０００３】
具体的には、例えば図６（ａ）（ｂ）に示すように構成されたものが一般に知られている。すなわち、接栓１０１は、筒状で、ナット部１０１ａ（固定ナット部）の一方の側に第１のネジ部１０１ｂを、他方の側に円筒部１０１ｃ（自己融着テープ（接栓防水用テープ）を巻き付ける部分）及び第２のネジ部１０１ｄ（固定ネジ部）をそれぞれ有する。この第１のネジ部１０１ｂが、機器ユニット１０２のケーシング１０３を構成する面板部１０３Ａの貫通穴１０３ａと、機器ユニット１０２に取り付けられるアッセンブリ部品１０４の貫通穴１０４ａとを通じてケーシング１０３内に挿入される。そして、ケーシング１０３内部で第１のネジ部１０１ｂに平ワッシャ１０５及び六角ナット１０６を適用し、接栓１０１と共にアッセンブリ部品１０４を機器ユニット１０２に取り付けるようにしている。そして、この接栓１０１及びアッセンブリ部品１０４の取り付け後に、ケーシング１０３内部で内装品である例えば回路基板１０７の所定の箇所に、接栓１０１側の端子１０１ｅを半田付けするようになっている（半田付け部分については、図６（ｂ）のＢの部分参照）。このような機器ユニットを、前述したように機器ケーシング内に収納する構成とするのは、例えば防水性、耐熱性などの耐環境性を確保するためである。
【先行技術文献】
【特許文献】
【０００４】
【特許文献１】特開昭５９−７５６９８号公報
【特許文献２】特開昭６３−３０６７７２号公報
【発明の概要】
【発明が解決しようとする課題】
【０００５】
このように、従来の構造では、アッセンブリ部品１０４を取り付けた状態で、ケーシング１０３内において半田付けなどの各種作業をする必要があるので、作業性が劣る、特に、アッセンブリ部品１０４が大きい場合には、作業性をできるだけ損なわないことが望まれるので、組み付け順序を選択する自由度が低くなる。
【０００６】
また、図６（ｂ）に示すように、接栓１０１やアッセンブリ部品１０４の組み付け完了状態では、接栓１０１がケーシング１０３外部に突出しているので、そのような接栓１０１が突出している側を下にして平坦面上に置くことが困難であり、ケーシング１０３内部での半田付けやネジ止めなどの作業を円滑に行うことの妨げになる。また、アッセンブリ部品１０４を最初に取り付けているので、その後の、ケーシング１０３内部についての各種作業時において、誤ってアッセンブリ部品１０４を破損あるいは損傷してしまうおそれもある。
【０００７】
そこで、アッセンブリ部品を最後に取り付ける構造にすればよいと考えられるが、接栓には、自己融着テープの巻きしろが設けられているために、組み付け順序の自由度には制限がある。
【０００８】
そこで、発明者は、接栓を用いてアッセンブリ部品を取り付けるのではなく、接栓だけを、アッセンブリ部品とは切り離して取り付け、それから、接栓のネジ部を利用してアセンブリ品を取り付けるようにすれば、組み付け作業性を損なうこともなく、また、組み付け順序を選択する自由度も増すことを知見し、例えば図７（ａ）（ｂ）に示すように構成すればよいと考えた。つまり、接栓２０１は、ナット部２０１ａの一方の側に第１のネジ部２０１ｂを、他方の側に第２のネジ部２０１ｃ、円筒部２０１ｄ（自己融着テープを巻き付ける部分）及び第３のネジ部２０１ｅ（固定ネジ部）をそれぞれ有することになる。この第１のネジ部２０１ｂが、ケーシング１０３の貫通穴１０３ａに挿入され、ケーシング１０３内部で第１のネジ部２０１ｂに平ワッシャ１０５及び六角ナット１０６を適用し、ケーシング１０３に取り付ける。この状態で、つまりアッセンブリ部品１０４’を取り付ける前に、ケーシング１０３内部で回路基板１０７の所定の箇所に、接栓２０１側の端子２０１ｆを半田付けすることができる（半田付け部分については、図７（ｂ）のＣの部分参照）。それから、アッセンブリ部品１０４’の貫通穴１０４ｂを第２のネジ部２０１ｃに対し挿通し、ナット部材２０２を用いてアッセンブリ部品１０４’を取り付ければよいので、この図７（ａ）（ｂ）に示す試作例は、作業性の向上や組み付け順序の自由度増加の点で、図６（ａ）（ｂ）に示す従来例よりも優れる。
【０００９】
しかしながら、図７（ａ）（ｂ）に示す試作例の構造では、接栓２０１に、固定ネジ部として機能する第３のネジ部２０１ｅに加えて、アッセンブリ部品１０４’を取り付けるための第２のネジ部２０１ｃが必要となり、コストアップの原因となる。また、第２のネジ部２０１ｃと第３のネジ部２０１ｅとの関係で、第２のネジ部２０１ｃの径を第３のネジ部２０１ｅの径よりも大きくする必要があるので、接栓２０１自体が大型化し、この点からも、コストアップの傾向となる。
【００１０】
そこで、発明者は、さらに構造を改良して、自己粘着テープを巻き付ける部分となる円筒部を、接栓側ではなく、ナット部材側に設けるようにすれば、接栓に設けるネジ部を増加させる必要がなくなり、コストアップの問題を解消できることに着想し、本発明をなしたものである。
【００１１】
本発明は、コストアップの問題を生ずることなく、作業性に優れ、組み付け順序を選択する自由度を高めた電子機器の構造を提供することを目的とする。
【課題を解決するための手段】
【００１２】
請求項１の発明は、機器ケーシングの内部に、接栓の固定ナット部および固定ネジ部が外部に突出する機器ユニットを有し、前記接栓の固定ネジ部を利用して、前記機器ユニットの外側に配置されるアッセンブリ部品の取付部が前記機器ユニットの面板部に対し取り付けられている電子機器の構造であって、前記アッセンブリ部品は、前記機器ケーシングの１つの面を構成する板状部材であり、前記機器ユニットは、取付ネジのみで前記機器ケーシングに固定されるものであり、前記取付部は、前記固定ネジ部が貫通する貫通穴を有するものであり、前記固定ネジ部は、前記取付部の貫通穴を貫通した状態で、取付ナット部材が螺合されることで前記面板部に対し前記アッセンブリ部品が取付固定され、前記取付ナット部材は、前記固定ナット部との間に前記取付部を挟持する取付ナット部と、自己融着テープを巻き付け可能であるスリーブ部とを有することを特徴とする。
【００１３】
このようにすれば、機器ユニットのケーシング内での作業を行う前に、アッセンブリ部品を組み付ける必要がなくなり、機器ユニットのケーシング内での作業を、アッセンブリ部品とは関係なく、行うことができる。よって、機器ユニットのケーシング内部への基板の取り付け、半田付け、内部機構部品の取り付けなどの作業性を改善することができる。
【００１４】
特に、アッセンブリ部品を最後に取り付ければよい構造としているので、アッセンブリ部品が組立作業時において破損したり損傷したりして、外観が損なわれるリスクを低減させることができる。
【００１６】
また、前記アッセンブリ部品は、前記機器ケーシングの１つの面を構成する板状部材であるので、機器ケーシング内の作業を、１つの面を構成する板状部材がない状態で行うことができ、作業性の向上を図る上で有利となる。
【００１８】
さらに、前記機器ユニットは、取付ネジのみで前記機器ケーシングに固定されるものであるので、アッセンブリ部品を取り外した後、取付ネジを取り外すことで、機器ユニットを機器ケーシング内から取り出すことができるので、故障などの際における機器ユニットの交換を簡単に行うことができる。しかも、アッセンブリ部品を取付ナット部材を用いて取り付けることで再利用することもできる。
【００１９】
請求項２に記載のように、前記取付ナット部材は、前記接栓の固定ネジ部との間にシール剤が充填されていることが望ましい。
【００２０】
このようにすれば、接栓の接続部分についてのシール性が向上する。
【発明の効果】
【００２１】
本発明は、上記のように構成したから、機器ユニットのケーシング内での作業を行う前に、アッセンブリ部品を組み付ける必要がなくなり、機器ユニットのケーシング内での作業を、アッセンブリ部品とは関係なく、行うことができる。よって、機器ユニットのケーシング内部への基板の取り付け、半田付け、内部機構部品の取り付けなどの作業性を改善することができる。
【図面の簡単な説明】
【００２２】
【図１】本発明に係る電子機器の構造が適用される電子機器（地上デジタル放送用ヘッドアンプ）の一実施の形態を示す斜視図である。
【図２】本発明に係る電子機器の構造についての一実施の形態についての、内部機構を省略した断面図である。
【図３】下面板（アッセンブリ部品）を取り付ける前の状態を示す分解斜視図である。
【図４】接栓の取り付け部分の断面図である。
【図５】（ａ）（ｂ）はそれぞれ接栓及び下面板の取り付け手順の説明図である。
【図６】（ａ）（ｂ）はそれぞれ従来例についての接栓及び下面板の取り付け手順の説明図である。
【図７】（ａ）（ｂ）はそれぞれ比較例についての接栓及び下面板の取り付け手順の説明図である。
【発明を実施するための形態】
【００２３】
以下、本発明の実施の形態を図面に沿って説明する。なお、この実施の形態においては、電子機器は、共同受信施設の受信点において、地上デジタル放送の各チャンネル信号の信号レベルを最適な信号レベルに揃えて伝送する地上デジタル放送用ヘッドアンプであるが、本発明は、それに限定されず、機器ケーシングの内部に、接栓の固定ナット部および固定ネジ部が外部に突出する機器ユニットを有し、前記接栓の固定ネジ部を利用して、前記機器ユニットの外側に配置されるアッセンブリ部品の取付部が前記機器ユニットの面板部に対し取り付けられている電子機器であれば、同様に適用することができる。また、以下の説明では、図１及び図２の電子機器１において、ヘッドアンプ用電源ユニット３Ｄが設けられている側を上側とし、機器ケーシングの２のケーシング開口がある側を前側とする。
【００２４】
図１〜図３に示すように、電子機器１（地上デジタル放送用ヘッドアンプ）は、複数の機器ユニットとして、機器ケーシング２内の下部左側に入力部ユニット３Ａが、下部右側に出力部ユニット３Ｂが、側部右側にトランスユニット３Ｃが、上部にヘッドアンプ用電源ユニット３Ｄがそれぞれ配置され、入力部ユニット３Ａとヘッドアンプ用電源ユニット３Ｄとの間であって左側に複数のコンバータユニット３Ｅが、右側に１つの出力アンプユニット３Ｆが並んで設けられている。この機器ケーシング２のケーシング開口は、扉１７にて開閉される。なお、１１は遮熱板、１２はマスト取付金具、１３は扉開閉金具、１４は電源確認ランプ、１５は本体給電用接栓(AC100V)である。各ユニット３Ａ〜３Ｄは機器ケーシング２に取り外し可能になるように取付ネジ１６のみにてネジ止めされている。
【００２５】
この機器ケーシング２においては、下面（底面）を構成する下面板２Ａ（アッセンブリ部品）が取り外し可能に取り付けられている。この下面板２Ａの取り付けは、入力用接栓４Ａ〜４Ｃ（例えば広域局入力用のライン入力用接栓４Ａ、県域局入力用のヘッド１入力用接栓４Ｂ及びヘッド２入力用接栓４Ｃ）および、出力用接栓４Ｄ、本体給電用接栓(AC30/60V)４Ｅを利用してなされる。つまり、入力用接栓４Ａ〜４Ｃ、出力用接栓４Ｄ，給電用接栓４Ｅの、ユニット外部に突出するネジ部４ｂ，４ｂ’（固定ネジ部）を利用してなされる。ここで、入力用接栓４Ａ〜４Ｃは、入力用接栓４Ａについて図４及び図５に示すように、ナット部４ａ（固定ナット部）と、このナット部４ａを挟んで、ケーシング３ＡＡ外部にナット部４ａと共に配置されるネジ部４ｂ（固定ネジ部）と、ケーシング３ＡＡ内部に配置されるネジ部４ｃとを有する。なお、出力用接栓４Ｄ、給電用接栓４Ｅも、入力用接栓４Ａ〜４Ｃと同様な構造である。
【００２６】
具体的には、下面板２Ａに形成される小径の貫通穴２Ａａに、入力部ユニット３Ａから突出する入力用接栓４Ａ〜４Ｃのネジ部４ｂ（固定ネジ部）が挿通され、ナット部５ａとスリーブ部５ｂとを有するスリーブ付きナット５にて固定されている。また、下面板２Ａに形成される大径の貫通穴２Ａｂに、出力部ユニット３Ｂから突出する出力用接栓４Ｄのネジ部４ｂ’およびトランスユニット３Ｃから突出する給電用接栓４Ｅのネジ部４ｂ’がそれぞれ挿通され、ナット６にて固定される。
【００２７】
例えば入力用接栓４Ａについて具体的に説明すれば、ネジ部４ｂには、図４に示すように、同軸ケーブル８が防水接栓９を介して接続され、スリーブ付きナット５のスリーブ部５ｂから防水接栓９に亘って、それらの外周部に自己融着テープ１０が巻き付けられ、さらにその上にビニールテープが巻き付けられ、従来と同様の防水処理が施される。
【００２８】
そして、電子機器１（地上デジタル放送用ヘッドアンプ）においては、入力用接栓４Ａ〜４Ｃからの入力信号は入力部ユニット３Ａにて調整され、コンバータユニット３Ｅにて地上デジタル放送信号が任意のＵＨＦ帯域またはＭＩＤ帯域に変換され、出力アンプユニット３Ｆにて各コンバータユニット３Ｅからの信号を混合し、出力部ユニット３Ｂにて出力信号レベルが確認され、出力用接栓４Ｄから出力される。このとき、ヘッドアンプ用電源ユニット３Ｄにてコンバータユニット３Ｅや出力アンプユニット３Ｆに電源が送出され、トランスユニット３Ｃにて受電状況にあった電源電圧に設定される。
【００２９】
続いて、入力部ユニット３Ａ、出力部ユニット３Ｂ及びトランスユニット３Ｃについての入力用接栓４Ａ〜４Ｅを用いた、下面板２Ａ（アッセンブリ部品）の、それぞれのユニット３Ａ〜３Ｃへの取り付け手順について説明する。
【００３０】
例えば入力用接栓４Ａについて図５（ａ）（ｂ）を参照して説明すれば、まず、入力用接栓４Ａが入力部ユニット３Ａのケーシング３ＡＡを構成する面板部３ＡＢに取り付けられる。入力用接栓４Ａのネジ部４ｃを、ケーシング３ＡＡの貫通穴３Ａａに挿入し、ケーシング３ＡＡ内部でネジ部４ｃに平ワッシャ２１及び六角ナット２２を適用してケーシング３ＡＡと一体になるように取り付ける。
【００３１】
この状態で、つまり下面板２Ａを入力部ユニット３Ａに対して取り付ける前に、たとえば、入力部ユニット３Ａのケーシング３ＡＡ内部で回路基板２３の所定の箇所に、接栓４側の端子４ｄを半田付けすることができる。下面板２Ａを取り付けていない状態で、ケーシング３ＡＡ内部における半田付けなどの各種作業を行うことができるので、作業性がよい（半田付け部分は、図５（ｂ）のＡの部分参照）。また、ケーシング３ＡＡに入力用接栓４Ａを取付け、ケーシング３ＡＡ内部についての各種作業を終了して、入力部ユニット３Ａを完成した後、機器ケーシング２に入力部ユニット３Ａを取付ネジ１６にて取付固定することができる。同様に、他のユニット３Ｂ〜３Ｄも取付固定される。これらの取付固定は、下面板２Ａと関係なく行うことができ、これらの、機器ケーシング２内への取付作業性にも優れる。
【００３２】
それから、必要とする機器ケーシング２内部についての作業が終了してから、下面板２Ａの貫通穴２Ａａを入力用接栓４Ａのネジ部４ｂに対し挿通し、スリーブ付きナット５を用いて下面板２Ａを取り付ける。同様にして、入力用接栓４Ｂ，４Ｃに対してはスリーブ付きナット５を用いて、出力用接栓４Ｄ，給電用接栓４Ｅに対してはナット６を用いて、それらに対し下面板２Ａを取付固定する。
【００３３】
この状態では、入力用接栓４Ａ〜４Ｃのナット部４ａ（固定ナット部）と、スリーブ付きナット５のナット部５ａとの間に、下面板２Ａが挟持された状態で入力部ユニット３Ａ、出力部ユニット３Ｂ及びトランクユニット３Ｃに取付固定され、下面板２Ａが機器ケーシング２の下面を構成することになる。なお、出力用接栓４Ｄ及び給電用接栓４Ｅのナット部とナット６との間にも下面板２Ａが挟持されている。
【００３４】
この後、前述したように、防水接栓９を用いて同軸ケーブル８を入力用接栓４Ａに接続し、スリーブ付きナット５のスリーブ部５ｂから防水接栓９にかけて、図４に示すように、周知の自己融着テープ１０が巻き付けられ、防水が図られる。
【００３５】
上記のように構成すれば、ユニット３Ａ〜３Ｃ内での各種作業、機器ケーシング２内での各種作業を行い、それらの作業が終了するまで、機器ケーシング２の１つの面（壁面）である下面を構成する下面板２Ａ（アッセンブリ部品）を組み付ける必要がない。よって、各ユニット３Ａ〜３Ｃに対し、下面板２Ａとは関係なく、接栓４Ａ〜４Ｅをそれぞれ組み付けて、その組み付け後にユニット３Ａ〜３Ｃ内での半田付け作業を行うことができる。よって、各ユニット３Ａ〜３Ｃのケーシング内部への基板の取り付け、半田付け、内部機構部品の取り付けなどの作業性が大幅に改善される。
【００３６】
それに続いて、各ユニット３Ａ〜３Ｃを機器ケーシング２内に配置して取付ネジ１６を用いて取り外し可能に取付固定することになるが、このときも、下面板２Ａを組み付けていない状態で行うことができる。この機器ケーシング２内の各種作業についても、下面板２Ａを取り付ける前の状態で行うことができ、作業性の向上を図る上で有利となる。
【００３７】
そして、すべての機器ユニット（入力部ユニット３Ａ、出力部ユニット３Ｂが、トランスユニット３Ｃ、ヘッドアンプ用電源ユニット３Ｄ、コンバータユニット３Ｅ及び出力アンプユニット３Ｆ）を機器ケーシング２内に取り付け、機器ケーシング２内についての作業がすべて終了した後、最後に下面板２Ａを取り付ければよい。よって、下面板２Ａが、前述したような各種作業時において、破損したり損傷したりして、結果として外観が損なわれるというリスクを低減させることができる。
【００３８】
また、入力部ユニット３Ａなどは、機器ケーシング２への取付固定は取付ネジ１６のみであるので、下面板２Ａを取り外した後、取付ネジ１６を取り外すことで、入力部ユニット３Ａなどを機器ケーシング２内から簡単に取り出すことができる。よって、メンテナンスなどの際における入力部ユニット３Ａなどの交換を簡単に行うことができる。しかも、下面板２Ａはスリーブ付きナット５を用いて取り付けることで、再利用することができる。
【００３９】
本発明は、前述した実施の形態のほか、次のように変更して実施することも可能である。
【００４０】
(i)前記実施の形態では、アッセンブリ部品が機器ケーシング２の下面（１つの面）を構成する下面板２Ａ（板状部材）であり、下面板２Ａの一部が板状の取付部となっている場合について説明しているが、アッセンブリ部品はそのような下面板に限定されず、アッセンブリ部品が、本体部分から取付部が突出しているような構造のものである場合にも同様に適用することができる。
【００４１】
(ii)自己融着テープ１０を巻き付けるのに加えて、入力用接栓４Ａ〜４Ｃの固定ネジ部とスリーブ付きナット５との間にも、つまり接栓の固定ネジ部と取付ナット部材との螺合部分にも、シール剤を充填して、さらに高い防水性能を得るようにすることができる。このようにすれば、シール剤が前記螺合部分に充填されていることで、スリーブ付きナット５が不用意に緩むのを回避する上でも有利となる。
【００４２】
(iii)取付ナット部材（スリーブ付きナット）のスリーブ部の長さを調整することで、接栓のネジ部の長さに関係なく、本発明を適用することができるのはもちろんである。
【符号の説明】
【００４３】
１    電子機器
２    機器ケーシング
２Ａ    下面板（アッセンブリ部品）
２Ａａ，２Ａｂ    貫通穴
３Ａ    入力部ユニット（機器ユニット）
３ＡＡ    ケーシング
３ＡＢ    面板部
３Ｂ    出力部ユニット（機器ユニット）
４Ａ〜４Ｃ    入力用接栓
４ａ    ナット部（固定ナット部）
４ｂ    ネジ部（固定ネジ部）
５    スリーブ付きナット（取付ナット部材）
５ａ    ナット部
５ｂ    スリーブ部
１６    取付ネジ
【図１】
0005783814.tif 000002
【図２】
0005783814.tif 000003
【図３】
0005783814.tif 000004
【図４】
0005783814.tif 000005
【図５】
0005783814.tif 000006
【図６】
0005783814.tif 000007
【図７】
0005783814.tif 000008